(57)【特許請求の範囲】
【請求項１】
吊具本体が軒樋の後耳縁を保持可能な後耳縁保持部を備え、前記後耳縁の前記後耳縁保持部からの離脱を防止する離脱防止片が上方へ弾性変形可能で且つ下方への弾性変形を規制可能に設けられた軒樋吊具において、
前記離脱防止片は両側部に下方へ屈曲されたフランジを有するコ字断面形状のもので、その他端が前記後耳縁保持部の前方に対向位置するように、その一端が前記吊具本体の一端側下面に固着され、前記両側部のフランジの屈曲部にその一端側から途中までスリットが形成されることで離脱防止片の下方への弾性変形規制手段とされるとともに、スリットが形成されている部分の両フランジが前記吊具本体へ当接係止可能なストッパ部とされていることを特徴とする軒樋吊具。
【発明の詳細な説明】
【０００１】
【発明の属する技術分野】
この発明は、家屋の軒に軒樋を取付ける際に使用される軒樋吊具に関するものである。
【０００２】
【従来の技術】
家屋の軒に軒樋を取付ける際に軒樋吊具が使用される。従来の軒樋吊具としては、特開平７−３１０４１０号公報や特開平８−１１４０１０号公報等に記載されているようなものがある。
【０００３】
これらの軒樋吊具は、家屋の軒部分に取付杆を介して取付けられる。軒樋吊具の吊具本体は一端に軒樋の前縁を係止可能な前縁係止部を備え、他端に軒樋の後耳縁を保持可能な後耳縁保持部を備えている。
【０００４】
そして、後耳縁の後耳縁保持部からの離脱を防止する離脱防止片が後耳縁保持部とほぼ対向配設されている。この離脱防止片は、上方および下方へ弾性変形可能なバネ板で構成されている。更に、この離脱防止片の下方には、離脱防止片の下方への弾性変形を規制可能な規制片が設けられている。
【０００５】
そして、軒樋を前縁が上位置となり後耳縁が下位置となるように保持して、軒樋吊具の前縁係止部に軒樋の前縁を上方から係止させ、前縁を中心として後耳縁が上方へ移動するように軒樋を回動させ、軒樋吊具の後耳縁保持部へ軒樋の後耳縁を嵌着保持させる。
【０００６】
この際、軒樋の後耳縁で離脱防止片のバネ力に抗して離脱防止片を下から押すことにより、離脱防止片を上方へ弾性変形および退避させて、軒樋吊具の後耳縁保持部へ軒樋の後耳縁を嵌着保持させる。
【０００７】
軒樋吊具の後耳縁保持部への軒樋の後耳縁の嵌着後には、離脱防止片がバネ力により後耳縁保持部の対向位置へと復帰され、更に、規制片が離脱防止片の下方への弾性変形を規制することにより、後耳縁の離脱が防止される。
【０００８】
【発明が解決しようとする課題】
しかしながら、このような従来の軒樋吊具では、離脱防止片の下方への弾性変形を規制する規制片を設ける必要があったので、その分だけ構造が複雑となり、且つ、部品コスト上昇の原因となっていた。
【０００９】
そこで、本発明の目的は、上記の問題点を解消し、構造を簡略化してコストダウンを図ることのできる軒樋吊具を提供することにある。
【００１０】
【課題を解決するための手段】
上記課題を解決するために、請求項１に記載された発明では、吊具本体が軒樋の後耳縁を保持可能な後耳縁保持部を備え、前記後耳縁の前記後耳縁保持部からの離脱を防止する離脱防止片が上方へ弾性変形可能で且つ下方への弾性変形を規制可能に設けられた軒樋吊具において、前記離脱防止片は両側部に下方へ屈曲されたフランジを有するコ字断面形状のもので、その他端が前記後耳縁保持部の前方に対向位置するように、その一端が前記吊具本体の一端側下面に固着され、前記両側部のフランジの屈曲部にその一端側から途中までスリットが形成されることで離脱防止片の下方への弾性変形規制手段とされるとともに、スリットが形成されている部分の両フランジが前記吊具本体へ当接係止可能なストッパ部とされていることを特徴としている。
【００１１】
このように構成された請求項１にかかる発明によれば、両側部に下方へ屈曲されたフランジを有するコ字断面形状の離脱防止片の両側部のフランジの屈曲部にその一端側から途中までスリットが形成されることで離脱防止片の下方への弾性変形規制手段とされるとともに、スリットが形成されている部分の両フランジが吊具本体へ当接係止可能なストッパ部とされていることにより、別体の規制片を設ける必要をなくすことができ、構造を簡略化してコストダウンを図ることができる。
【００１２】
【発明の実施の形態】
以下、本発明の具体的な実施の形態について、図示例と共に説明する。
【００１３】
図１〜図５は、この発明の実施の形態を示すものである。
【００１４】
まず、構成を説明すると、図１に示すように、家屋の軒部分に所要間隔を置いて取付杆１が固定され、各取付杆１に軒樋吊具２がカシメなどにより取付けられている（カシメ部３）。この軒樋吊具２により軒樋４が吊下固定される。
【００１５】
軒樋４は、一端に前耳縁５を有し、他端に後耳縁６を有している。
【００１６】
軒樋吊具２の吊具本体７は、ほぼ水平な短尺材であり、両側部に下方へ屈曲されたフランジ８を有するコ字断面形状を呈している。吊具本体７は、一端に軒樋４の前耳縁５を係止可能な上方へ屈曲したフック状の前耳縁係止部９を備えている。また、吊具本体７は、他端に軒樋４の後耳縁６を包持可能な側面視コ字状の後耳縁保持部１０を備えている。この後耳縁保持部１０は、吊具本体７の中間部を斜上方へ向けて屈曲（屈曲部１１）し、他端部を下方へ向けて複数回屈曲することによって形成されている。
【００１７】
そして、図２に示すように、この屈曲部と後耳縁保持部１０の下部との間の間隙部１２には、後耳縁６の後耳縁保持部１０からの離脱を防止する離脱防止片１３が、後耳縁保持部１０の下部に対し所要の隙間１４を有してほぼ対向するように配設されている。この離脱防止片１３は、金属材料または樹脂材料によって上方および下方へ弾性変形可能に構成され、図３（ａ）（ｂ）に示すように、両側部に下方へ屈曲されたフランジ１５を有するコ字断面形状を呈している。離脱防止片１３は、吊具本体７の一端側に面接触可能な基端の固定部１６を有し、この固定部１６にカシメ孔１７が形成されて、固定部１６を軒樋吊具２と共に取付杆１へカシメ部３でカシメ止めされている。また、離脱防止片１３先端の可変形部１８は、屈曲部１１に対応する位置で、固定部１６に対し僅かに斜下方に後耳縁保持部１０の下部へほぼ向けて屈曲されており（屈曲部１９）、この可変形部１８には後耳縁６を係止可能なフック状部２０が上方へ屈曲形成されている。
【００１８】
この実施の形態のものでは、離脱防止片１３の上方への弾性変形促進手段２１と下方への弾性変形規制手段２２とを離脱防止片１３自体に備えるようにしている。
【００１９】
このうち、上方への弾性変形促進手段２１は、固定部１６とその両側のフランジ１５ａとの間に形成されたスリット２３によって構成されている。
【００２０】
また、下方への弾性変形規制手段２２は、スリット２３によって固定部１６と分離され可変形部１８と共に変形可能とされたフランジ１５ａによって構成されている。このフランジ１５ａが、吊具本体７の下面へ当接係止可能なストッパ部２４として機能し得るようにされている。
【００２１】
次に、この実施の形態の作用について説明する。
【００２２】
図４（ａ）に示すように、軒樋４を前耳縁５が上位置となり後耳縁６が下位置となるように保持して、図４（ｂ）に示すように、軒樋吊具２の前耳縁係止部９に軒樋４の前耳縁５を上方から係止させ、図４（ｃ）に示すように、前耳縁５を中心として後耳縁６が上方へ移動するように軒樋４を回動させ、図４（ｄ）に示すように、軒樋吊具２の後耳縁保持部１０へ軒樋４の後耳縁６を嵌着保持させる。
【００２３】
この際、軒樋４の後耳縁６で離脱防止片１３のバネ力に抗して離脱防止片１３を下から押すことにより、離脱防止片１３を上方へ弾性変形および退避させて、軒樋吊具２の後耳縁保持部１０へ軒樋４の後耳縁６を嵌着保持させる。
【００２４】
軒樋吊具２の後耳縁保持部１０への軒樋４の後耳縁６の嵌着後には、離脱防止片１３がバネ力により後耳縁保持部１０の対向位置へ復帰され、更に、下方への弾性変形規制手段２２が離脱防止片１３の下方への弾性変形を規制することにより、後耳縁６の離脱が防止される。
【００２５】
この実施の形態では、離脱防止片１３の上方への弾性変形促進手段２１を備えたことにより、小さな力でも容易に離脱防止片１３を押上げて軒樋吊具２の後耳縁保持部１０へ軒樋４の後耳縁６を嵌着保持させることができる。特に、軒樋４が変形し易い薄肉の金属樋である場合でも、たたき上げる必要がないので、金属樋がへこむ心配もない。また、離脱防止片１３の上方への弾性変形促進手段２１を離脱防止片１３自体に備えたことにより構造を簡略化してコストダウンを図ることができる。特に、離脱防止片１３の上方への弾性変形促進手段２１として、固定部１６とその両側のフランジ１５ａとの間をスリット２３で分離したことにより、図５（ａ）に示すように、離脱防止片１３の可変形部１８が容易に上方へ弾性変形し得るようになり、弾性変形促進手段２１を容易に形成して確実に作動するものとすることができる。
【００２６】
また、離脱防止片１３の下方への弾性変形規制手段２２を離脱防止片１３自体に備えたことにより、別体の規制片を設ける必要をなくすことができ、構造を簡略化してコストダウンを図ることができる。特に、スリット２３によって固定部１６と分離されたフランジ１５ａを吊具本体７の下面へ当接係止される可変形部１８のストッパ部２４として利用することによって、図５（ｂ）に示すように、可変形部１８が下方へ弾性変形するのを確実に防止することができ、離脱防止片１３による保持力を維持することができる。
【００２７】
（削除）
【００２８】
（削除）
【００２９】
（削除）
【００３０】
（削除）
【００３１】
【発明の効果】
以上説明してきたように、請求項１の発明によれば、両側部に下方へ屈曲されたフランジを有するコ字断面形状の離脱防止片の両側部のフランジの屈曲部にその一端側から途中までスリットが形成されることで離脱防止片の下方への弾性変形規制手段とされるとともに、スリットが形成されている部分の両フランジが吊具本体へ当接係止可能なストッパ部とされていることにより、別体の規制片を設ける必要をなくすことができ、構造を簡略化してコストダウンを図ることができる、という実用上有益な効果を発揮し得る。
【図面の簡単な説明】
【図１】本発明の実施の形態の側面図である。
【図２】図１の部分拡大図である。
【図３】（ａ）は離脱防止片の平面図、（ｂ）は離脱防止片の側面図である。
【図４】（ａ）〜（ｄ）は軒樋の取付工程図である。
【図５】（ａ）は離脱防止片の上方へ弾性変形時の作動図、（ｂ）は離脱防止片の下方へ弾性変形時の作動図である。
【符号の説明】
２    軒樋吊具
４    軒樋
６    後耳縁
７    吊具本体
１０  後耳縁保持部
１３  離脱防止片
２２  弾性変形規制手段
２４  ストッパ部
【図１】
0004439719.tif 000002
【図２】
0004439719.tif 000003
【図３】
0004439719.tif 000004
【図４】
0004439719.tif 000005
【図５】
0004439719.tif 000006